(57)【要約】【課題】容易な取り扱いで無端ベルトの損傷を抑制し得て、しかも、再利用化が可能で廃棄物の発生を無くすことができる無端ベルト用梱包体を提供する。【解決手段】筐体状の箱本体２と、箱本体２の上方寄り内壁面に片持ち状態で支持された竿体４と、竿体４に沿うように箱本体２の内底面に設けられた棒体５と、を備え、周縁部に沿って磁性部材を設けた無端ベルト１１を竿体４に吊り下げて無端ベルト１１を位置決めすると共に、磁性部材と棒体５との間で発生する磁力によって無端ベルト１１を中空緊張状態で支持する。【選択図】      図４
2010020245.tif 000002
【特許請求の範囲】
【請求項１】
筐体状の箱本体と、該箱本体の上方寄り内壁面に片持ち状態で支持された竿体と、該竿体に沿うように前記箱本体の内底面に設けられた棒体と、を備え、
周縁部に沿って磁性部材を設けた無端ベルトを前記竿体に吊り下げると共に、前記磁性部材と前記棒体との間で発生する磁力によって前記無端ベルトを中空緊張状態で支持することを特徴とする無端ベルト用梱包体。
【請求項２】
前記箱本体は、外箱本体と、該外箱本体内で出し入れ可能となるように上下に重ねられた内箱本体と、を備え、
該内箱本体の上方寄り内壁面に前記複数の竿体が片持ち状態で支持され、該竿体に対向状態で沿うように前記内箱本体の内底面若しくは下段側に位置する前記内箱本体の外上面に前記棒体が設けられていることを特徴とする請求項１に記載の画像形成装置。
【発明の詳細な説明】
【技術分野】
【０００１】
本発明は、画像形成装置に使用される転写紙搬送ベルトや中間転写ベルト等の無端ベルトを搬送する際等に使用される無端ベルト用梱包体に関する。
【背景技術】
【０００２】
従来から、複写機・プリンタ・ファクシミリ或いはこれらを機能的に備えた複合機といった電子写真方式の画像形成装置では、転写紙搬送ベルトや中間転写ベルトといった様々な無端ベルト状の機能部材が用いられている。
【０００３】
これらの無端ベルト状の機能部材は、画像形成処理に直接寄与する部位に配置・使用されることが多いため、無端ベルトに折れ等の変形が生じた場合には、直接画像形成に影響を与えることがある。
【０００４】
例えば、中間転写体として無端ベルトに折れが生じていると、その部分でのトナーの付着不良や転写不良が発生してしまい、転写後の画像の一部が抜けてしまうといった不具合が発生する。
【０００５】
そこで、このような無端ベルトの搬送時等には、特別な梱包材を用いて無端ベルトの折れ・傷・異物の付着等を防止する技術が知られている（例えば、特許文献１，２参照）。
【特許文献１】特開平０３−２９７７１５号公報
【特許文献２】特開２００５−２８４０８３号公報
【発明の開示】
【発明が解決しようとする課題】
【０００６】
ところが、上記の如く構成された無端ベルト用梱包体にあっては、無端ベルト各々の内側や外側を保護材で覆うことによって無端ベルトの折れ・傷・異物の付着等を防止するため、取り扱いが面倒なばかりではなく、保護材の再利用化が困難で、余分な廃棄物を発生させてしまい、結果的に部品コストが高騰してしまうといった問題が生じていた。
【０００７】
そこで、本発明は、上記事情を考慮し、容易な取り扱いで無端ベルトの損傷を抑制し得て、しかも、再利用化が可能で廃棄物の発生を無くすことができる無端ベルト用梱包体を提供することを目的とする。
【課題を解決するための手段】
【０００８】
本発明の無端ベルト用梱包体は、筐体状の箱本体と、該箱本体の上方寄り内壁面に片持ち状態で支持された竿体と、該竿体に沿うように前記箱本体の内底面に設けられた棒体と、を備え、周縁部に沿って磁性部材を設けた無端ベルトを前記竿体に吊り下げると共に、前記磁性部材と前記棒体との間で発生する磁力によって前記無端ベルトを中空緊張状態で支持することを特徴とする。
【０００９】
この際、前記箱本体は、外箱本体と、該外箱本体内で出し入れ可能となるように上下に重ねられた内箱本体と、を備え、該内箱本体の上方寄り内壁面に前記複数の竿体が片持ち状態で支持され、該竿体に対向状態で沿うように前記内箱本体の内底面若しくは下段側に位置する前記内箱本体の外上面に前記棒体が設けられていても良い。
【発明の効果】
【００１０】
本発明の無端ベルト用梱包体は、容易な取り扱いで無端ベルトの損傷を抑制し得て、しかも、再利用化が可能で廃棄物の発生を無くすことができる。
【発明を実施するための最良の形態】
【００１１】
次に、本発明の一実施形態に係る無端ベルト用梱包体について、図面を参照して説明する。
【００１２】
図１は本発明の一実施形態に係る無端ベルト用梱包体に適用される無端ベルトの斜視図、図２は本発明の一実施形態に係る無端ベルト用梱包体の要部の斜視図、図３は本発明の一実施形態に係る無端ベルト用梱包体の分解斜視図、図４（Ａ）は本発明の一実施形態に係る無端ベルト用梱包体の正面図、図４（Ｂ）は本発明の一実施形態に係る無端ベルト用梱包体の側面図である。
【００１３】
（実施の形態１）
図１に示すように、本発明の一実施形態に係る無端ベルト用梱包体に使用される無端ベルト１１は、その内面側の周縁部に、内側をS極、外側をＮ極とされた磁性部材（例えば、ラバーマグネット）１２が貼り付けられている。
【００１４】
尚、無端ベルト１１と磁性部材１２とは、その長さ・幅・材質・積層状態等においては、公知の技術のものを用いることができる。
【００１５】
本実施の形態においては、無端ベルト１１には、多層のものが用いられ、その基材にはＰＶＤＦ、中間弾性層にはＣＲゴム、表面コート層にはＰＴＦＥを分散させたウレタン樹脂、が用いられ、その全体の厚さは１２０μｍ、周長は７５６ｍｍである。また、無端ベルト１１は、図２に示すように、可塑性を備えているため、棒状部材１３の直径（外形）に倣って吊り下げることが可能となっている。
【００１６】
磁性部材１２には、厚さ１ｍｍ、幅５ｍｍ、長さ７５１ｍｍで、磁力が７０ｍＴのものを用いている。尚、磁性部材１２は、無端ベルト１１の寄りを防止するためのベルトガイドとしての機能を兼ねていることが好ましい。
【００１７】
一方、図３及び図４に示すように、本発明の一実施形態に係る無端ベルト用梱包体１は、筐体状の箱本体２と、箱本体２の上方開口端を開閉する蓋体３と、蓋体３の内壁面３ａに片持ち状態で支持されて上述した棒状部材１３に相当する複数の竿体４と、竿体４に沿うように箱本体２の内底面２ａに設けられた棒体５と、を備えている。
【００１８】
竿体４は、本実施の形態においては、蓋体３の内壁面３ａに取り付けられていることから、その内壁面３ａに支持された基端である垂直方向に延びる基部４ａと、基部４ａから水平方向に屈曲された自由端である支持部４ｂとを備え、少なくとも、この支持部４ｂが磁性を帯びている。
【００１９】
尚、竿体４は、その支持部４ｂが平行状態となるように、蓋体３に複数本、設けられている。この際、一直線上の竿体４を箱本体２の上方開口端寄りに設けても良い。また、竿体４の先端に、脱落防止用の突起、リブ、フランジ等を形成しても良い。さらに、竿体４は、磁性竿体のほか、樹脂等の軽量なものでも良い。
【００２０】
棒体５は、金属製の延べ棒等が、竿体４の支持部４ｂの直下に位置していると共に、支持部４ｂの軸線方向に沿って延在されている。この際、支持部４ｂの軸線方向に沿う棒体５の長さは、磁性部材１２の磁力等によっても異なるが、少なくとも、無端ベルト１１の略全幅に跨る長さを備えているのが好ましい。また、その長さ方向に、複数の棒体５を分割して配置しても良い。尚、棒体５は、磁性部材１２の磁極と反発しない磁極の磁石体を用いることも可能である。また、本実施の形態においては、棒体５として磁力１５０ｍＴの磁性体を用い、この磁性体と無端ベルト１１との間隔が３〜１０ｍｍとなるように配置した。
【００２１】
これにより、周縁部に沿って磁性部材１２を設けた無端ベルト１１は、竿体４（磁性竿体）に吊り下げて磁性部材１２の磁力によって支持部４ｂの軸線方向の無端ベルト１１を位置決めすると共に、無端ベルト１１の不測な回動移動を阻止する。
【００２２】
また、無端ベルト１１は、磁性部材１２と棒体５との間で発生する磁力によって無端ベルト１１を中空緊張状態で支持することができる。
【００２３】
従って、箱本体２を工場出荷時等には、その上方は竿体４に位置決め状態で吊持されており、その下方は磁力によって引っ張られて、緊張状態が維持されているため、振動等によって隣接する無端ベルト１１同士が接触してしまうこと無く、搬送することが可能となる。
【００２４】
この際、無端ベルト１１は、振動等によって回動移動することもないため、ベルト内周面が擦れることも抑制されている。
【００２５】
（実施の形態２）
ところで、箱本体２と蓋体３とは、その強度を確保すると共に形状等を変えることにより、段積みも可能である。この際、例えば、図５及び図６に示すように、別の外箱６等を設けると共に、箱体２と蓋体３とを下向きのコの字又は口の字形状で一体構成として段積みすることにより、引き出し可能とすることも可能である。
【００２６】
（実施の形態３）
この際、図７及び図８に示すように、外箱６にガイドレール７を設け、このガイドレール７に蓋体３を引き出し可能に設けると共に、蓋体３の上面に棒体５、蓋体３の底面に竿体４を設けた簡素な構成を適用することも可能である。
【００２７】
このように、本発明の無端ベルト用梱包体によれば、無端ベルト１１を竿体４に吊り下げると共に、棒体５の磁力によって無端ベルト１１を緊張状態で支持することにより、容易な取り扱いで無端ベルトの損傷を抑制し得て、しかも、再利用化が可能で廃棄物の発生を無くすことができる。
【図面の簡単な説明】
【００２８】
【図１】本発明の一実施形態に係る無端ベルト用梱包体に適用される無端ベルトの斜視図である。
【図２】本発明の一実施形態に係る無端ベルト用梱包体の要部の斜視図である。
【図３】本発明の一実施形態に係る無端ベルト用梱包体の分解斜視図である。
【図４】（Ａ）は本発明の一実施形態に係る無端ベルト用梱包体の正面図である。（Ｂ）は本発明の一実施形態に係る無端ベルト用梱包体の側面図である。
【図５】本発明の一実施形態に係る実施の形態２の無端ベルト用梱包体の正面図である。
【図６】本発明の一実施形態に係る実施の形態２の無端ベルト用梱包体の断面図である。
【図７】本発明の一実施形態に係る実施の形態３の無端ベルト用梱包体の正面図である。
【図８】本発明の一実施形態に係る実施の形態３の無端ベルト用梱包体の断面図である。
【符号の説明】
【００２９】
１…無端ベルト用梱包体
２…箱本体
３…蓋体
４…竿体
４ａ…基部
４ｂ…支持部
５…棒体
６…外箱
７…ガイドレール
１１…無端ベルト
１２…磁性部材
【図１】
2010020245.tif 000003
【図２】
2010020245.tif 000004
【図３】
2010020245.tif 000005
【図４】
2010020245.tif 000006
【図５】
2010020245.tif 000007
【図６】
2010020245.tif 000008
【図７】
2010020245.tif 000009
【図８】
2010020245.tif 000010